(57)【特許請求の範囲】
【請求項１】
直流電力供給用のチョッパ回路と、
少なくとも１つのスイッチング素子を有し、前記チョッパ回路からの直流電力を高周波電力に変換する高周波電源回路と、
無電極放電灯に近接して配置され、前記高周波電力を使用して高周波電磁界を発生させる誘導コイルと、
前記チョッパ回路の出力電圧検出用の第１検出回路と、
前記高周波電源回路の過電圧または過電流検出用の第２検出回路と、
前記第１検出回路の検出結果が所定レベルの電圧よりも高くなると前記チョッパ回路の動作を停止させる第１保護回路と、
前記第２検出回路の検出結果に応じて前記高周波電源回路の出力を制限する第２保護回路と
を備え、
前記第１検出回路および第１保護回路とは別に前記第２検出回路および第２保護回路を設け、
前記第１検出回路および第１保護回路と、前記第２検出回路および第２保護回路とを分離し、
前記第１検出回路および第１保護回路と前記第２検出回路および第２保護回路との間に制御信号を伝達する配線パターンが形成されない
無電極放電灯点灯装置。
【請求項２】
前記スイッチング素子駆動用のドライブ回路と、前記ドライブ回路への直流電力供給用のドライブ電源回路とを備える請求項１記載の無電極放電灯点灯装置。
【請求項３】
前記第２保護回路は、前記高周波電源回路が有するスイッチング素子の動作を停止ないし間欠させる請求項１または２記載の無電極放電灯点灯装置。
【請求項４】
前記ドライブ回路は、スイッチング素子を含み、
前記第２保護回路は、前記ドライブ回路のスイッチング素子の動作を停止することにより、そのドライブ回路の出力制限を行う請求項２記載の無電極放電灯点灯装置。
【請求項５】
前記第１保護回路は、前記第１検出回路の検出結果が所定レベルの電圧よりも高くなると、前記チョッパ回路の動作を停止させるとともに前記ドライブ電源回路の出力を制限し、
前記ドライブ回路は、スイッチング素子を含み、
前記第２保護回路は、前記第２検出回路の検出結果に応じて、前記ドライブ回路のスイッチング素子の動作を停止することにより、そのドライブ回路の出力制限を行う
請求項２記載の無電極放電灯点灯装置。
【請求項６】
前記第１保護回路は、前記第１検出回路の検出結果が所定レベルの電圧よりも高くなると、前記チョッパ回路の動作を停止させるとともに前記ドライブ電源回路の出力を制限し、
前記第２保護回路は、前記第２検出回路の検出結果に応じて、前記スイッチング素子の動作の停止ないし間欠を行う
請求項２記載の無電極放電灯点灯装置。
【請求項７】
前記ドライブ回路は、スイッチング素子を含み、
前記第２保護回路は、前記ドライブ回路のスイッチング素子の動作を停止することにより、そのドライブ回路の出力制限を行うとともに、前記高周波電源回路のスイッチング素子の動作の停止ないし間欠を行う請求項２記載の無電極放電灯点灯装置。
【請求項８】
前記第１保護回路は、前記第１検出回路の検出結果が所定レベルの電圧よりも高くなると、前記チョッパ回路の動作を停止させるとともに前記ドライブ電源回路の出力を制限し、
前記ドライブ回路は、スイッチング素子を含み、
前記第２保護回路は、前記第２検出回路の検出結果に応じて、前記ドライブ回路のスイッチング素子の動作を停止することにより、そのドライブ回路の出力制限を行うとともに、前記高周波電源回路のスイッチング素子の動作の停止ないし間欠を行う
請求項２記載の無電極放電灯点灯装置。
【請求項９】
前記第１検出回路の検出結果が所定レベルの電圧よりも高くなるか否かは、前記チョッパ回路の出力電圧および前記チョッパ回路を流れる電流の一方を利用して判定される請求項１〜８のいずれかに記載の無電極放電灯点灯装置。
【請求項１０】
前記チョッパ回路およびドライブ電源回路の各入力端は商用電源に接続され、前記チョッパ回路の出力電圧は前記商用電源に対して整流および平滑を行って得た電圧よりも高くなる請求項２〜９のいずれかに記載の無電極放電灯点灯装置。
【請求項１１】
前記チョッパ回路およびドライブ電源回路の各入力端は商用電源に接続され、前記ドライブ電源回路の出力電圧は前記商用電源に対して整流および平滑を行って得た電圧よりも低くなる請求項２〜１０のいずれかに記載の無電極放電灯点灯装置。
【請求項１２】
直流電力供給用のチョッパ回路と、
少なくとも１つのスイッチング素子を有し、このスイッチング素子が前記チョッパ回路の動作周波数よりも高い動作周波数で動作することによって前記チョッパ回路からの直流電力を高周波電力に変換する高周波電源回路と、
前記高周波電力を使用して高周波電磁界を発生させる誘導コイルと、
前記誘導コイルが近接して配置され、前記誘導コイルからの高周波電磁界に応じて照明を行う無電極放電灯と、
前記スイッチング素子駆動用のドライブ回路と、
前記ドライブ回路への直流電力供給用のドライブ電源回路と、
前記チョッパ回路の出力電圧検出用の第１検出回路と、
前記高周波電源回路の過電圧または過電流検出用の第２検出回路と、
前記第１検出回路の検出結果が所定レベルの電圧よりも高くなると前記チョッパ回路の動作を停止させる第１保護回路と、
前記第２検出回路の検出結果に応じて前記高周波電源回路の動作を停止ないし間欠させる第２保護回路と
を備え、
前記第１検出回路および第１保護回路とは別に前記第２検出回路および第２保護回路を設け、
前記第１検出回路および第１保護回路と、前記第２検出回路および第２保護回路とを分離し、
前記第１検出回路および第１保護回路と前記第２検出回路および第２保護回路との間に制御信号を伝達する配線パターンが形成されない
無電極放電灯点灯装置。
【発明の詳細な説明】
【０００１】
【発明の属する技術分野】
本発明は、直流電源回路にチョッパ回路を用い、その出力を高周波電源回路に供給し、その高周波電源回路からの高周波出力を無電極放電灯の近傍に配置された誘導コイルに供給し高周波電磁界を誘起して、無電極放電灯を点灯させる無電極放電灯点灯装置に関するものであり、特にチョッパ回路が異常に昇圧した時に回路を保護する無電極放電灯点灯装置に関するものである。
【０００２】
【従来の技術】
従来、商用電源からの電圧を所定レベルの電圧に変換するチョッパ回路が放電灯点灯装置などに採用されているが、このようなチョッパ回路には、動作時に電圧が異常に昇圧した場合に回路を保護する保護回路を具備したものが種々知られている。
【０００３】
例えば、特開平２−１９７２５３号公報には、出力電圧が所定レベルの電圧よりも高くなるとチョッピング動作を強制的に停止させるための異常電圧検出・駆動停止回路を保護回路として備えるチョッパ回路が開示されている。
【０００４】
なお、特開平６−１６３１７３号公報には、チョッパ平滑回路から高周波電源回路に印加される直流電源電圧が所定値に達したときに高周波電源回路を作動させる無電極放電灯点灯装置が開示されている。
【０００５】
【発明が解決しようとする課題】
しかしながら、無電極放電灯に近接配置される誘導コイルに対して高周波電力を供給する高周波電源回路（インバータ）の前段に上記チョッパ回路を適用すると以下の問題がある。すなわち、異常電圧検出・駆動停止回路が作動してチョッパ回路のチョッピング動作が停止しても、整流および平滑された商用電源の電圧（商用電源電圧に√２を乗じて得られる直流電圧）が高周波電源回路に供給されるので、高周波電源回路は動作することになる。このような場合、誘導コイルに対する高周波電圧が点灯維持電圧よりも低くなるので、無電極放電灯はグロー放電状態となる。このとき、高周波電源回路からみた誘導コイルを含めた無電極放電灯のインピーダンスは大幅に変化し、高周波電源回路に過大な電流が流れて高周波電源回路に用いられているスイッチング素子が破壊に至る場合がある。
【０００６】
このような問題を解決するために、図７に示す無電極放電灯点灯装置が本出願人により別途出願されている。
【０００７】
この無電極放電灯点灯装置は、商用電源に接続される高調波阻止用のフィルタ回路１１と、このフィルタ回路１１を介して商用電源に接続される整流回路１２と、直流電力供給用であって整流回路１２からの電圧を所定レベルの電圧に変換するチョッパ回路１３と、２つのＦＥＴＱ１４１，Ｑ１４２を有しチョッパ回路１３からの直流電力を高周波電力に変換する高周波電源回路（Ｄ級増幅回路）１４と、ＦＥＴＱ１４１，Ｑ１４２駆動用のドライブ回路１５と、高周波電源回路１４からの高周波電力を使用して高周波電磁界を発生させる誘導コイルＬｃと、誘導コイルＬｃが近接して配置され誘導コイルＬｃからの高周波電磁界に応じて照明を行う無電極放電灯Ｌａと、高周波電源回路１４と誘導コイルＬｃとの間に介在しこれらの間のインピーダンス整合をとるマッチング回路１６と、ドライブ回路１５への直流電力供給用のドライブ電源回路１７と、チョッパ回路１３の出力電圧が所定レベルの電圧よりも高くなると、ドライブ電源回路１７の出力制限を行うとともに、高周波電源回路１４が有するＦＥＴＱ１４２の動作停止を行う高周波電源停止回路９とにより構成されている。
【０００８】
このように高周波電源停止回路９を設け、チョッパ回路１３の出力電圧が異常に昇圧した場合に、異常電圧検出・駆動停止回路１３４によってチョッパ回路１３の動作を停止させるとともに、高周波電源停止回路９によって高周波電源回路１４の動作を停止させることで、上記問題の解決を図っている。
【０００９】
ところで、一般的にこの種の無電極放電灯点灯装置において、高周波電源回路は、チョッパ回路の動作周波数よりも高い周波数で動作する。例えば、チョッパ回路は数十ｋＨｚ〜百ｋＨｚ程度の周波数で動作するのに対し、高周波電源回路は数百ｋＨｚ〜数百ＭＨｚの周波数で動作する。このため、チョッパ回路と高周波電源回路の双方のノイズが相互干渉しないように、これらの回路は分離配置されてプリント基板に実装されるのが通常である。
【００１０】
このようにチョッパ回路１３および高周波電源回路１４をプリント基板に実装すると、異常電圧検出・駆動停止回路１３４（詳しくはコンパレータＣＭＰ１３の出力端）から高周波電源停止回路９のダイオードＤ９２、抵抗Ｒ９２、トランジスタＱ９２およびダイオードＤ９３を介して高周波電源回路１４のＦＥＴＱ１４２のゲートに至る配線パターンが形成されることから、この長い配線パターンでチョッパ回路１３および高周波電源回路１４からのノイズを受けやすくなってしまう。そして、ノイズの影響が大きいと、誤動作が起こりやすくなり、異常電圧検出・駆動停止回路１３４が作動してチョッパ回路１３の回路動作が停止しても、高周波電源停止回路９が正常に作動せずに、高周波電源回路１４のＦＥＴＱ１４２のゲート・ソース間が短絡されなかったり、ドライブ電源回路１７のスイッチング素子Ｑ１７のコントロール端子とソース端子との間が短絡されなかったりする。そうすると、高周波電源回路１４が動作することになり上述の問題が再発する。
【００１１】
また、ノイズの影響の度合いによっては、高周波電源停止回路９だけでなく異常電圧検出・駆動停止回路１３４も正常に作動しなくなる場合が考えられ、チョッパ回路１３のＦＥＴＱ１３が破壊するといったも問題が起こりうる。
【００１２】
本発明は、上記事情に鑑みてなされたものであり、ノイズの影響による誤動作を防止し、負荷として無電極放電灯が接続される各回路を確実に保護しうる無電極放電灯点灯装置を提供することを目的とする。
【００１３】
【課題を解決するための手段】
上記課題を解決するための本発明の無電極放電灯点灯装置は、直流電力供給用のチョッパ回路と、少なくとも１つのスイッチング素子を有し、前記チョッパ回路からの直流電力を高周波電力に変換する高周波電源回路と、無電極放電灯に近接して配置され、前記高周波電力を使用して高周波電磁界を発生させる誘導コイルと、前記チョッパ回路の出力電圧検出用の第１検出回路と、前記高周波電源回路の過電圧または過電流検出用の第２検出回路と、前記第１検出回路の検出結果が所定レベルの電圧よりも高くなると前記チョッパ回路の動作を停止させる第１保護回路と、前記第２検出回路の検出結果に応じて前記高周波電源回路の出力を制限する第２保護回路とを備え、前記第１検出回路および第１保護回路とは別に前記第２検出回路および第２保護回路を設け、前記第１検出回路および第１保護回路と、前記第２検出回路および第２保護回路とを分離し、前記第１検出回路および第１保護回路と前記第２検出回路および第２保護回路との間に制御信号を伝達する配線パターンが形成されないものである。
【００１４】
この構成では、負荷が無電極放電灯であるので、チョッパ回路の出力電圧が所定レベルの電圧よりも高くなると、高周波電源回路に過電圧または過電流が生じるようになるが、それら双方の状態が第１検出回路および第２検出回路により検出され、第１保護回路および第２保護回路がそれぞれチョッパ回路の動作を停止させるとともに高周波電源回路の出力を制限するので、過大電圧または過大電流から当該無電極放電灯点灯装置の回路が保護されるようになる。また、第１検出回路および第１保護回路と、第２検出回路および第２保護回路との分離構造が可能になるので、ノイズの影響による誤動作の防止が可能になる。
【００１５】
なお、前記スイッチング素子駆動用のドライブ回路と、前記ドライブ回路への直流電力供給用のドライブ電源回路とを備える構成でもよい（請求項２）。また、前記第２保護回路は、前記高周波電源回路が有するスイッチング素子の動作を停止ないし間欠させるものでもよい（請求項３）。また、前記ドライブ回路は、スイッチング素子を含み、前記第２保護回路は、前記ドライブ回路のスイッチング素子の動作を停止することにより、そのドライブ回路の出力制限を行うものでもよい（請求項４）。また、前記第１保護回路は、前記第１検出回路の検出結果が所定レベルの電圧よりも高くなると、前記チョッパ回路の動作を停止させるとともに前記ドライブ電源回路の出力を制限し、前記ドライブ回路は、スイッチング素子を含み、前記第２保護回路は、前記第２検出回路の検出結果に応じて、前記ドライブ回路のスイッチング素子の動作を停止することにより、そのドライブ回路の出力制限を行う構成でもよい（請求項５）。また、前記第１保護回路は、前記第１検出回路の検出結果が所定レベルの電圧よりも高くなると、前記チョッパ回路の動作を停止させるとともに前記ドライブ電源回路の出力を制限し、前記第２保護回路は、前記第２検出回路の検出結果に応じて、前記スイッチング素子の動作の停止ないし間欠を行う構成でもよい（請求項６）。また、前記ドライブ回路は、スイッチング素子を含み、前記第２保護回路は、前記ドライブ回路のスイッチング素子の動作を停止することにより、そのドライブ回路の出力制限を行うとともに、前記高周波電源回路のスイッチング素子の動作の停止ないし間欠を行うものでもよい（請求項７）。さらに、前記第１保護回路は、前記第１検出回路の検出結果が所定レベルの電圧よりも高くなると、前記チョッパ回路の動作を停止させるとともに前記ドライブ電源回路の出力を制限し、前記ドライブ回路は、スイッチング素子を含み、前記第２保護回路は、前記第２検出回路の検出結果に応じて、前記ドライブ回路のスイッチング素子の動作を停止することにより、そのドライブ回路の出力制限を行うとともに、前記高周波電源回路のスイッチング素子の動作の停止ないし間欠を行う構成でもよい（請求項８）。これら各構成によれば、負荷として無電極放電灯が接続される各回路が確実に保護されるようになるとともに、ノイズの影響による誤動作の防止が可能になる。
【００１６】
また、前記第１検出回路の検出結果が所定レベルの電圧よりも高くなるか否かは、前記チョッパ回路の出力電圧および前記チョッパ回路を流れる電流の一方を利用して判定される構成でもよい（請求項９）。この構成によれば、チョッパ回路の出力電圧が所定レベルの電圧よりも高くなる不具合が検出されるようになる。これにより、負荷として無電極放電灯が接続される各回路が確実に保護されるようになるとともに、ノイズの影響による誤動作の防止が可能になる。
【００１７】
また、前記チョッパ回路およびドライブ電源回路の各入力端は商用電源に接続され、前記チョッパ回路の出力電圧は前記商用電源に対して整流および平滑を行って得た電圧よりも高くなる構成でもよい（請求項１０）。また、前記チョッパ回路およびドライブ電源回路の各入力端は商用電源に接続され、前記ドライブ電源回路の出力電圧は前記商用電源に対して整流および平滑を行って得た電圧よりも低くなる構成でもよい（請求項１１）。これらいずれの構成でも、第１および第２保護回路が機能し、負荷として無電極放電灯が接続される各回路が確実に保護されるようになるとともに、ノイズの影響による誤動作の防止が可能になる。
【００１８】
請求項１２記載の発明の無電極放電灯点灯装置は、直流電力供給用のチョッパ回路と、少なくとも１つのスイッチング素子を有し、このスイッチング素子が前記チョッパ回路の動作周波数よりも高い動作周波数で動作することによって前記チョッパ回路からの直流電力を高周波電力に変換する高周波電源回路と、前記高周波電力を使用して高周波電磁界を発生させる誘導コイルと、前記誘導コイルが近接して配置され、前記誘導コイルからの高周波電磁界に応じて照明を行う無電極放電灯と、前記スイッチング素子駆動用のドライブ回路と、前記ドライブ回路への直流電力供給用のドライブ電源回路と、前記チョッパ回路の出力電圧検出用の第１検出回路と、前記高周波電源回路の過電圧または過電流検出用の第２検出回路と、前記第１検出回路の検出結果が所定レベルの電圧よりも高くなると前記チョッパ回路の動作を停止させる第１保護回路と、前記第２検出回路の検出結果に応じて前記高周波電源回路の動作を停止ないし間欠させる第２保護回路とを備え、前記第１検出回路および第１保護回路とは別に前記第２検出回路および第２保護回路を設け、前記第１検出回路および第１保護回路と、前記第２検出回路および第２保護回路とを分離し、前記第１検出回路および第１保護回路と前記第２検出回路および第２保護回路との間に制御信号を伝達する配線パターンが形成されないものである。
【００１９】
この構成によれば、負荷として無電極放電灯が接続される各回路が確実に保護されるようになるとともに、ノイズの影響による誤動作の防止が可能になる。
【００２０】
【発明の実施の形態】
図１は本発明に係る第１実施形態の無電極放電灯点灯装置の回路図で、以下この図を用いて第１実施形態について説明する。
【００２１】
本無電極放電灯点灯装置は、フィルタＬ１１１，Ｌ１１２およびコンデンサＣ１１により構成され商用電源の両端に接続される高調波阻止用のフィルタ回路１１と、ダイオードブリッジＤＢ１２により構成されフィルタ回路１１を介して商用電源の両端に接続される全波整流用の整流回路１２と、直流電力供給用であって数十ｋＨｚ〜百ｋＨｚ程度の動作周波数で整流回路１２からの電圧を所定レベルの電圧に変換するチョッパ回路（昇圧チョッパ回路）１３と、ＦＥＴ（スイッチング素子）Ｑ１４１，Ｑ１４２を有し数百ｋＨｚ〜数百ＭＨｚ程度の動作周波数でチョッパ回路１３からの直流電力を高周波電力に変換する高周波電源回路１４と、ＦＥＴＱ１４１，Ｑ１４２駆動用のドライブ回路１５と、高周波電源回路１４からの高周波電力を使用して高周波電磁界を発生させる誘導コイルＬｃと、誘導コイルＬｃが近接して配置され、透光性のガラスバルブまたは蛍光体が内面に塗布されたガラスバルブ内に不活性ガスや金属蒸気などの放電ガスを封入し、誘導コイルＬｃからの高周波電磁界に応じて内部に高周波プラズマ電流を発生させて紫外線ないし可視光を発生させる無電極放電灯Ｌａと、高周波電源回路１４と誘導コイルＬｃとの間に介在するパイ型のコンデンサＣ１６１〜Ｃ１６３により構成され高周波電源回路１４と誘導コイルＬｃとの間のインピーダンス整合をとるマッチング回路１６と、ドライブ回路１５への直流電力供給用のドライブ電源回路１７と、高周波電源回路１４の過電流検出用の高周波部検出回路１８と、高周波部検出回路１８の検出結果に応じて高周波電源回路１４の出力制限を行う高周波電源停止回路１９とを備えている。
【００２２】
チョッパ回路１３は、整流回路１２の高電位側出力端に一端が接続される１次巻線、および一端接地の２次巻線を有するトランスＴ１３と、このトランスＴ１３の１次巻線の他端にドレインが接続されるＦＥＴＱ１３と、このＦＥＴＱ１３のソースと整流回路１２の低電位側出力端との間に接続される抵抗Ｒ１３と、トランスＴ１３の１次巻線の他端にアノードが接続されるダイオードＤ１３と、このダイオードＤ１３のカソードと整流回路１２の低電位側出力端との間に接続されるコンデンサＣ１３とを備えている他、制御・駆動用電源回路１３１、出力電圧検出回路１３２、制御回路１３３および異常電圧検出・駆動停止回路１３４をさらに備え、所定レベルの電圧に変換して得た直流電力をコンデンサＣ１３から供給するものである。
【００２３】
制御・駆動用電源回路１３１は、整流回路１２の高電位側出力端に一端が接続される抵抗Ｒ１３０、およびこの抵抗Ｒ１３０と整流回路１２の低電位側出力端との間に接続されるコンデンサＣ１３０により構成され、このコンデンサＣ１３０から制御回路１３３に直流電力を供給するものである。
【００２４】
出力電圧検出回路１３２は、コンデンサＣ１３の両端間に直列接続される抵抗Ｒ１３５，Ｒ１３６、およびこの抵抗Ｒ１３６に並列接続されるコンデンサＣ１３３により構成され、コンデンサＣ１３３の電圧をコンデンサＣ１３の出力電圧として検出するものである。
【００２５】
制御回路１３３は、整流回路１２の両出力端の間に直列接続される抵抗Ｒ１３１，Ｒ１３２と、この抵抗Ｒ１３２に並列接続されるコンデンサＣ１３１と、トランスＴ１３の２次巻線の他端に一端が接続される抵抗Ｒ１３３と、抵抗Ｒ１３５，Ｒ１３６の接続点、抵抗Ｒ１３１，Ｒ１３２の接続点、ＦＥＴＱ１３のソース、抵抗Ｒ１３３の他端、コンデンサＣ１３０の低電位側端、ＦＥＴＱ１３のゲートおよびコンデンサＣ１３０の高電位側端にそれぞれ＃１、＃３〜＃８ピンが接続される制御ＩＣ１３と、この制御ＩＣ１３の＃２ピンとコンデンサＣ１３０の低電位側端との間に並列接続される抵抗Ｒ１３４およびコンデンサＣ１３２とにより構成されている。
【００２６】
制御ＩＣ１３（例えばモトローラ社製のＭＣ３３２６２）は、コンデンサＣ１３３の電圧をコンデンサＣ１３の出力電圧として取り込み、コンデンサＣ１３１の電圧をチョッパ回路１３の入力電圧として取り込み、抵抗Ｒ１３を介してＦＥＴＱ１３のドレイン電流を取り込み、そしてトランスＴ１３の２次巻線および抵抗Ｒ１３３を介してその１次巻線に流れる電流を取り込んで、これら取り込んだ各信号に応じて、＃７ピンからＦＥＴＱ１３のオン／オフ制御信号を送出するものである。また、制御ＩＣ１３は、＃５ピンがＨレベルになれば＃７ピンからのＦＥＴＱ１３のオン／オフ制御信号の送出を停止する。
【００２７】
異常電圧検出・駆動停止回路１３４は、コンデンサＣ１３０の両端間に直列接続される抵抗Ｒ１３７，Ｒ１３８と、コンデンサＣ１３の両端間に直列接続される抵抗Ｒ１３９，Ｒ１４０と、この抵抗Ｒ１４０に並列接続されるコンデンサＣ１３４と、抵抗Ｒ１３３の他端にカソードが接続されるダイオードＤ１３０と、抵抗Ｒ１３７，Ｒ１３８の接続点、抵抗Ｒ１３９，Ｒ１４０の接続点およびダイオードＤ１３０のアノードにそれぞれ負入力端、正入力端および出力端が接続されるコンパレータＣＭＰ１３と、このコンパレータＣＭＰ１３の出力端および正入力端にそれぞれアノードおよびカソードが接続されるダイオードＤ１３１とにより構成され、チョッパ回路１３の出力電圧の検出回路（第１検出回路）を構成する抵抗Ｒ１３９，Ｒ１４０およびコンデンサＣ１３４を介してチョッパ回路１３の出力電圧を取り込み、この取り込んだ出力電圧が所定レベルの電圧よりも高くなるとチョッパ回路１３の動作停止を行うものである。そして、コンパレータＣＭＰ１３の正入力端の電位よりも負入力端の電位の方が高くなるように設定されている。すなわち、コンパレータＣＭＰ１３の出力は、通常Ｌレベルであり、チョッパ回路１３の出力であるコンデンサＣ１３の電圧に対応するコンデンサＣ１３４の電圧が異常と認められるレベル（負入力端の基準電圧レベル）よりも高くなるとＨレベルになるように構成されている。なお、抵抗Ｒ１３７，Ｒ１３８およびコンパレータＣＭＰ１３によって、上記検出回路の検出結果が所定レベルの電圧よりも高くなるとチョッパ回路１３の動作を停止させる保護回路（第１保護回路）が構成される。
【００２８】
高周波電源回路１４は、チョッパ回路１３の高電位出力端側にドレインが接続されるＦＥＴＱ１４１と、このＦＥＴＱ１４１のソースにドレインが接続されるＦＥＴＱ１４２と、ＦＥＴＱ１４１，Ｑ１４２の接続点に一端が接続されるインダクタＬ１４と、このインダクタＬ１４の他端とマッチング回路１６の高電位側入力端との間に接続されるコンデンサＣ１４とにより構成されている。
【００２９】
ドライブ回路１５は、水晶振動子Ｘを用いた発振回路、ＦＥＴＱ１５を用いた増幅回路および駆動トランスＴ１５により構成され、駆動トランスＴ１５の１次巻線ｎ１５１の両端に高周波の略正弦波電圧を発生させて、その２次巻線ｎ１５２，ｎ１５３に互いに逆相となる電圧を発生させるものである。これにより、ＦＥＴＱ１４１，Ｑ１４２のゲートに互いに逆相となる電圧がそれぞれ印加されるので、ＦＥＴＱ１４１，Ｑ１４２は交互にオン／オフ動作を行うことになる。なお、この回路はよく知られているので詳細な説明は省略する。
【００３０】
ドライブ電源回路１７は、整流回路１２の高電位側出力端にアノードが接続されるダイオードＤ１７０と、このダイオードＤ１７０のカソードと整流回路１２の低電位側出力端との間に接続されるコンデンサＣ１７０と、ダイオードＤ１７０のカソードに一端が接続される１次巻線ｎ１７１、および一端接地の２次巻線ｎ１７２，ｎ１７３を有するトランスＴ１７と、１次巻線ｎ１７１の他端およびコンデンサＣ１７０の低電位側端にそれぞれドレイン端子およびソース端子が接続されるスイッチング素子（例えば松下製のインテリジェント・パワー・デバイスであるＭＩＰ１６５）Ｑ１７と、このスイッチング素子Ｑ１７のドレイン端子とソース端子との間に接続されるコンデンサＣ１７１と、２次巻線ｎ１７２の他端にアノードが接続されるダイオードＤ１７１と、このダイオードＤ１７１のカソードとスイッチング素子Ｑ１７のコントロール端子との間に接続される抵抗Ｒ１７と、スイッチング素子Ｑ１７のコントロール端子とソース端子との間に接続されるコンデンサＣ１７２と、２次巻線ｎ１７３の他端にアノードが接続されるダイオードＤ１７２と、このダイオードＤ１７２のカソードと２次巻線ｎ１７３の一端との間に接続されるコンデンサＣ１７３とにより構成され、このコンデンサＣ１７３からドライブ回路１５に直流電力を供給するものである。なお、ドライブ電源回路１７の出力電圧は商用電源に対して整流および平滑を行って得た電圧よりも低くなる。
【００３１】
高周波部検出回路（第２検出回路）１８は、駆動トランスＴ１５の１次巻線ｎ１５１の低電位側端と２次巻線ｎ１５３の低電位側端との間に並列接続される抵抗Ｒ１８１およびコンデンサＣ１８と、ドライブ電源回路１７の高電位出力端とチョッパ回路１３の低電位出力端との間に直列接続される抵抗Ｒ１８２，Ｒ１８３と、抵抗Ｒ１８２，Ｒ１８３の接続点および２次巻線ｎ１５３の低電位側端にそれぞれ負入力端および正入力端が接続されるコンパレータＣＭＰ１８と、このコンパレータＣＭＰ１８の出力端に一端が接続される抵抗Ｒ１８４と、この抵抗Ｒ１８４の他端およびコンパレータＣＭＰ１８の正入力端にそれぞれアノードおよびカソードが接続されるダイオードＤ１８とにより構成されている。そして、コンパレータＣＭＰ１８の正入力端の電位よりも負入力端の電位の方が高くなるように設定されている。すなわち、コンパレータＣＭＰ１８の出力は、通常Ｌレベルであり、高周波電源回路１４に流れる電流に応じて変動する正入力端の電位が異常、すなわち高周波電源回路１４に過電流が流れていると認められるレベル（負入力端の基準電圧レベル）よりも高くなるとＨレベルになるように構成されている。
【００３２】
高周波電源停止回路（第２保護回路）１９は、コンパレータＣＭＰ１８の出力端に一端が接続される（バイアス）抵抗Ｒ１９と、ＦＥＴＱ１４２のゲートにアノードが接続されるダイオードＤ１９と、抵抗Ｒ１９の他端およびダイオードＤ１９のカソードにそれぞれベースおよびコレクタが接続されるエミッタ接地のトランジスタＱ１９により構成され、コンパレータＣＭＰ１８の出力がＨレベルになれば、トランジスタＱ１９がオンになってＦＥＴＱ１４２のゲート・ソース間を短絡し、ＦＥＴＱ１４２の動作を停止させるものである。
【００３３】
次に、第１実施形態の動作について説明する。まず、チョッパ回路１３の出力電圧が正常である場合の動作について説明する。商用電源が投入されると、チョッパ回路１３が作動して、整流回路１２からの電圧が所定レベルの電圧（商用電源電圧に√２を乗じて得られる直流電圧よりも高い直流電圧Ｅ）に昇圧され、直流電力が高周波電源回路１４に供給される。この高周波電源回路１４に供給された直流電力は、ドライブ回路１５からの制御信号に応じたＦＥＴＱ１４１，Ｑ１４２の交互のオン／オフ動作によって高周波電力に変換され、マッチング回路１６を介して誘導コイルＬｃに供給される。これにより、誘導コイルＬｃに高周波電磁界が発生して無電極放電灯Ｌａが点灯する。
【００３４】
この時、チョッパ回路１３の出力電圧が正常であるので、コンパレータＣＭＰ１３，ＣＭＰ１８の各出力はＬレベルになる。これにより、チョッパ回路１３および高周波電源回路１４の双方は動作状態を維持する。
【００３５】
次に、チョッパ回路１３の出力電圧Ｖｏが異常に昇圧したときの動作について説明する。例えば、コンデンサＣ１３３の漏れ電流が大きくなって抵抗Ｒ１３６がほほ短絡状態となり、チョッパ回路１３の出力電圧Ｖｏが異常に昇圧して、正常時のチョッパ回路１３の出力電圧Ｖｏである直流電圧Ｅよりもさらに高い電圧が発生したとすると、この高い電圧が異常電圧検出・駆動停止回路１３４により検出され、コンパレータＣＭＰ１３の正入力端の電位が負入力端の電位よりも高くなる。これにより、コンパレータＣＭＰ１３は、出力がＨレベルになり、このＨレベルの電圧がダイオードＤ１３１を介して正入力端に印加するので、Ｈレベルの出力状態を維持する。
【００３６】
コンパレータＣＭＰ１３の出力がＨレベルになると、このＨレベルの電圧がダイオードＤ１３０を介して制御ＩＣ１３の＃５ピンに印加する。これにより、制御ＩＣ１３は、＃７ピンからのＦＥＴＱ１３のオン／オフ制御信号の送出を停止する（＃７ピンはＬレベルの状態になる）ので、チョッパ回路１３が停止状態になる。
【００３７】
この後、チョッパ回路１３の出力電圧Ｖｏは、異常に昇圧した電圧から、整流回路１２による整流およびコンデンサＣ１３による平滑が行われた商用電源電圧（商用電源電圧に√２を乗じて得られる直流電圧）まで下降する。これにより、高周波電源回路１４の出力電圧が無電極放電灯Ｌａの点灯維持電圧よりも低くなり、無電極放電灯Ｌａはグロー放電状態となる。
【００３８】
無電極放電灯Ｌａがグロー放電状態となると、高周波電源回路１４からみた負荷（マッチング回路１６、誘導コイルＬｃおよび無電極放電灯Ｌａ）のインピーダンスが急激に変化するので、高周波電源回路１４に過大な電流が流れる。そうすると、高周波部検出回路１８の抵抗Ｒ１８１の両端電圧が高くなるので、コンパレータＣＭＰ１８の正入力端の電位が負入力端の電位よりも高くなる。これにより、コンパレータＣＭＰ１８は、出力がＨレベルとなり、このＨレベルの電圧が抵抗Ｒ１８４およびダイオードＤ１８を介して正入力端に印加するので、Ｈレベルの出力状態を維持する。
【００３９】
コンパレータＣＭＰ１８の出力がＨレベルになると、このＨレベルの電圧が抵抗Ｒ１９を介してトランジスタＱ１９のべ−スに印加するので、トランジスタＱ１９はオン状態になる。これにより、高周波電源回路１４のＦＥＴＱ１４２のゲート・ソース間がダイオードＤ１９および抵抗Ｒ１８１を介して短絡され、高周波電源回路１４の動作が停止して無電極放電灯Ｌａは消灯状態になる。
【００４０】
このように、チョッパ回路１３が動作停止状態になった後も、整流および平滑された商用電源の電圧（商用電源電圧に√２を乗じて得られる直流電圧）が高周波電源回路１４に供給されることになるが、高周波電源回路１４も動作停止状態になるので、過大電圧または過大電流からチョッパ回路１３および高周波電源回路１４の各素子が破壊されることなく確実に保護されることになる。
【００４１】
また、異常電圧検出・駆動停止回路１３４とは別に高周波部検出回路１８および高周波電源停止回路１９を設け、異常電圧検出・駆動停止回路１３４と、高周波部検出回路１８および高周波電源停止回路１９とを分離したので、ノイズの影響による誤動作の防止が可能になる。また、各回路の配線パターンを短くすることが可能となる。なお、この分離構造は、以降の第２〜第６実施形態でも同様に採用されている。
【００４２】
以上、第１実施形態によれば、負荷として無電極放電灯が接続される各回路を確実に保護することができるとともに、ノイズの影響による誤動作の防止が可能になる。
【００４３】
なお、第１実施形態では、チョッパ回路１３の出力電圧の異常昇圧は、高周波部検出回路１８よりも先に異常電圧検出・駆動停止回路１３４によって検出される構成になっているが、これに限らず、異常電圧検出・駆動停止回路１３４よりも先に高周波部検出回路１８によって検出される構成でもよい。この場合、チョッパ回路１３の出力電圧が異常に昇圧したとき、高周波電源回路１４の動作が停止した後にチョッパ回路１３の動作が停止し、上記同様、過大電圧または過大電流からチョッパ回路１３および高周波電源回路１４が保護される。
【００４４】
図２は本発明に係る第２実施形態の無電極放電灯点灯装置の回路図で、以下この図を用いて第２実施形態について説明する。
【００４５】
本無電極放電灯点灯装置は、無電極放電灯Ｌａ、誘導コイルＬｃ、フィルタ回路１１、整流回路１２、チョッパ回路１３、高周波電源回路１４、ドライブ回路１５、マッチング回路１６、ドライブ電源回路１７および高周波部検出回路１８を第１実施形態と同様に備えている他、第１実施形態の高周波電源停止回路１９とは回路構成が異なる高周波電源停止回路２９を備えている。
【００４６】
この高周波電源停止回路２９は、抵抗Ｒ１９およびトランジスタＱ１９に加えて、トランジスタＱ１９のコレクタおよびドライブ回路１５におけるＦＥＴＱ１５のゲートにそれぞれカソードおよびアノードが接続されるダイオードＤ２９を備え、コンパレータＣＭＰ１８の出力がＨレベルになれば、トランジスタＱ１９がオンになってＦＥＴＱ１５のゲート・ソース間を短絡し、ドライブ回路１５の動作を停止させるものである。
【００４７】
次に、第２実施形態の動作について説明する。ただし、チョッパ回路１３の出力電圧が正常である場合の動作については第１実施形態と同様であるので、チョッパ回路１３の出力電圧Ｖｏが異常に昇圧したときの動作について説明する。
【００４８】
チョッパ回路１３の出力電圧Ｖｏが異常に昇圧すると、異常電圧検出・駆動停止回路１３４が作動してチョッパ回路１３の動作が停止し、チョッパ回路１３の出力電圧Ｖｏは、異常に昇圧した電圧から、整流および平滑された商用電源の電圧まで下降する。これにより、高周波電源回路１４の出力電圧が無電極放電灯Ｌａの点灯維持電圧よりも低くなり、無電極放電灯Ｌａはグロー放電状態となる。
【００４９】
無電極放電灯Ｌａがグロー放電状態となると、高周波電源回路１４に過大な電流が流れて、高周波部検出回路１８の抵抗Ｒ１８１の両端電圧が高くなるので、コンパレータＣＭＰ１８の正入力端の電位が負入力端の電位よりも高くなる。これにより、コンパレータＣＭＰ１８は、出力がＨレベルとなり、このＨレベルの電圧が抵抗Ｒ１８４およびダイオードＤ１８を介して正入力端に印加するので、Ｈレベルの出力状態を維持する。
【００５０】
コンパレータＣＭＰ１８の出力がＨレベルになると、このＨレベルの電圧が抵抗Ｒ１９を介してトランジスタＱ１９のべ−スに印加するので、トランジスタＱ１９はオン状態になる。これにより、ドライブ回路１５におけるＦＥＴＱ１５のゲート・ソース間がダイオードＤ２９を介して短絡され、ドライブ回路１５の動作が停止して高周波電源回路１４も動作が停止し、無電極放電灯Ｌａは消灯状態になる。
【００５１】
このように、チョッパ回路１３が動作停止状態になった後も、整流および平滑された商用電源の電圧が高周波電源回路１４に供給されることになるが、ドライブ回路１５の動作が停止して高周波電源回路１４も動作停止状態になるので、過大電圧または過大電流からチョッパ回路１３および高周波電源回路１４の各素子が破壊されることなく確実に保護されることになる。
【００５２】
以上、第２実施形態によれば、負荷として無電極放電灯が接続される各回路を確実に保護することができるとともに、ノイズの影響による誤動作の防止が可能になる。
【００５３】
図３は本発明に係る第３実施形態の無電極放電灯点灯装置の回路図で、以下この図を用いて第３実施形態について説明する。
【００５４】
本無電極放電灯点灯装置は、無電極放電灯Ｌａ、誘導コイルＬｃ、フィルタ回路１１、整流回路１２、高周波電源回路１４、ドライブ回路１５、マッチング回路１６、ドライブ電源回路１７および高周波電源停止回路２９を第２実施形態と同様に備えている他、第２実施形態とは回路構成が異なるチョッパ回路３３および高周波部検出回路３８を備えている。
【００５５】
チョッパ回路３３は、トランスＴ１３、ＦＥＴＱ１３、抵抗Ｒ１３、ダイオードＤ１３、コンデンサＣ１３、制御・駆動用電源回路１３１、出力電圧検出回路１３２および制御回路１３３に加えて、第２実施形態とは回路構成が異なる異常電圧検出・駆動停止回路３３４を備えている。
【００５６】
この異常電圧検出・駆動停止回路３３４は、抵抗Ｒ１３７〜Ｒ１４０、コンデンサＣ１３４、ダイオードＤ１３０，Ｄ１３１およびコンパレータＣＭＰ１３に加えて、コンパレータＣＭＰ１３の出力端にアノードが接続されるダイオードＤ３３、このダイオードＤ３３のカソードに一端が接続される（バイアス）抵抗Ｒ３３、およびこの抵抗Ｒ３３の他端、スイッチング素子Ｑ１７のコントロール端子およびソース端子にそれぞれベース、コレクタおよびエミッタが接続されるトランジスタＱ３３をさらに備え、チョッパ回路３３の出力電圧が所定レベルの電圧よりも高くなると、チョッパ回路３３の動作を停止させるとともにドライブ電源回路１７の動作を停止させるものである。これにより、ドライブ電源回路１７からドライブ回路１５への直流電力の供給が停止し、ドライブ回路が停止することになる。
【００５７】
高周波部検出回路３８は、コンデンサＣ１８、抵抗Ｒ１８１，Ｒ１８３，Ｒ１８４、ダイオードＤ１８およびコンパレータＣＭＰ１８に加えて、チョッパ回路３３の高電位出力端とコンパレータＣＭＰ１８の負入力端との間に接続される抵抗Ｒ３８２を備えている。そして、高周波部検出回路３８は、異常電圧検出・駆動停止回路３３４よりも先にチョッパ回路３３の出力電圧の異常昇圧を検出するように設定されている。
【００５８】
次に、第３実施形態の動作について説明する。ただし、チョッパ回路３３の出力電圧が正常である場合の動作については第２実施形態と同様であるので、チョッパ回路３３の出力電圧Ｖｏが異常に昇圧したときの動作について説明する。
【００５９】
チョッパ回路３３の出力電圧Ｖｏが異常に昇圧すると、高周波部検出回路３８の抵抗Ｒ１８１の両端電圧が高くなるので、コンパレータＣＭＰ１８の正入力端の電位が負入力端の電位よりも高くなる。これにより、コンパレータＣＭＰ１８は、出力がＨレベルとなり、このＨレベルの電圧が抵抗Ｒ１８４およびダイオードＤ１８を介して正入力端に印加するので、Ｈレベルの出力状態を維持する。
【００６０】
コンパレータＣＭＰ１８の出力がＨレベルになると、このＨレベルの電圧が抵抗Ｒ１９を介してトランジスタＱ１９のべ−スに印加するので、トランジスタＱ１９はオン状態になる。これにより、ドライブ回路１５におけるＦＥＴＱ１５のゲート・ソース間がダイオードＤ２９を介して短絡され、ドライブ回路１５の動作が停止して高周波電源回路１４も動作が停止し、無電極放電灯Ｌａは消灯状態になる。
【００６１】
この後、さらに昇圧したチョッパ回路３３の出力電圧によって異常電圧検出・駆動停止回路３３４が作動する。すなわち、コンパレータＣＭＰ１３は、正入力端の電位が負入力端の電位よりも高くなって出力がＨレベルになり、このＨレベルの電圧がダイオードＤ１３１を介して正入力端に印加するので、Ｈレベルの出力状態を維持する。
【００６２】
コンパレータＣＭＰ１３の出力がＨレベルになると、このＨレベルの電圧がダイオードＤ１３０を介して制御ＩＣ１３の＃５ピンに印加する。これにより、制御ＩＣ１３は、＃７ピンからのＦＥＴＱ１３のオン／オフ制御信号の送出を停止する（＃７ピンはＬレベルの状態になる）ので、チョッパ回路３３が停止状態になる。
【００６３】
一方、コンパレータＣＭＰ１３のＨレベルの電圧は、ダイオードＤ３３および抵抗Ｒ３３を介してトランジスタＱ３３のベースにも印加するので、トランジスタＱ３３はオン状態になる。これにより、ドライブ電源回路１７におけるスイッチング素子Ｑ１７のコントロール端子とソース端子との間が短絡され、ドライブ電源回路１７の動作が停止する。
【００６４】
この後、チョッパ回路３３およびドライブ電源回路１７の各出力電圧が低下する。
【００６５】
このように、チョッパ回路３３が動作停止状態になった後も、整流および平滑された商用電源の電圧が高周波電源回路１４に供給されることになるが、高周波電源回路１４は動作停止状態にあるので、過大電圧または過大電流からチョッパ回路３３および高周波電源回路１４の各素子が破壊されることなく確実に保護されることになる。
【００６６】
以上、第３実施形態によれば、負荷として無電極放電灯が接続される各回路を確実に保護することができるとともに、ノイズの影響による誤動作の防止が可能になる。
【００６７】
図４は本発明に係る第４実施形態の無電極放電灯点灯装置の回路図で、以下この図を用いて第４実施形態について説明する。
【００６８】
本無電極放電灯点灯装置は、無電極放電灯Ｌａ、誘導コイルＬｃ、フィルタ回路１１、整流回路１２、チョッパ回路３３、高周波電源回路１４、ドライブ回路１５、マッチング回路１６、ドライブ電源回路１７および高周波部検出回路３８を第３実施形態と同様に備えているとともに、第１実施形態と同様の高周波電源停止回路１９を備えている。
【００６９】
次に、第４実施形態の動作について説明する。ただし、チョッパ回路３３の出力電圧が正常である場合の動作については第３実施形態と同様であるので、チョッパ回路３３の出力電圧Ｖｏが異常に昇圧したときの動作について説明する。
【００７０】
チョッパ回路３３の出力電圧Ｖｏが異常に昇圧すると、高周波部検出回路３８の抵抗Ｒ１８１の両端電圧が高くなるので、コンパレータＣＭＰ１８の正入力端の電位が負入力端の電位よりも高くなる。これにより、コンパレータＣＭＰ１８は、出力がＨレベルとなり、このＨレベルの電圧が抵抗Ｒ１８４およびダイオードＤ１８を介して正入力端に印加するので、Ｈレベルの出力状態を維持する。
【００７１】
コンパレータＣＭＰ１８の出力がＨレベルになると、このＨレベルの電圧が抵抗Ｒ１９を介してトランジスタＱ１９のべ−スに印加するので、トランジスタＱ１９はオン状態になる。これにより、高周波電源回路１４におけるＦＥＴＱ１４２のゲート・ソース間がダイオードＤ１９および抵抗Ｒ１８１を介して短絡されて高周波電源回路１４の動作が停止し、無電極放電灯Ｌａは消灯状態になる。
【００７２】
この後、さらに昇圧したチョッパ回路３３の出力電圧によって異常電圧検出・駆動停止回路３３４が作動する。すなわち、コンパレータＣＭＰ１３は、正入力端の電位が負入力端の電位よりも高くなって出力がＨレベルになり、このＨレベルの電圧がダイオードＤ１３１を介して正入力端に印加するので、Ｈレベルの出力状態を維持する。
【００７３】
コンパレータＣＭＰ１３の出力がＨレベルになると、このＨレベルの電圧がダイオードＤ１３０を介して制御ＩＣ１３の＃５ピンに印加する。これにより、制御ＩＣ１３は、＃７ピンからのＦＥＴＱ１３のオン／オフ制御信号の送出を停止する（＃７ピンはＬレベルの状態になる）ので、チョッパ回路３３が停止状態になる。
【００７４】
一方、コンパレータＣＭＰ１３のＨレベルの電圧は、ダイオードＤ３３および抵抗Ｒ３３を介してトランジスタＱ３３のベースにも印加するので、トランジスタＱ３３はオン状態になる。これにより、ドライブ電源回路１７におけるスイッチング素子Ｑ１７のコントロール端子とソース端子との間が短絡され、ドライブ電源回路１７の動作が停止する。
【００７５】
この後、チョッパ回路３３およびドライブ電源回路１７の各出力電圧が低下する。
【００７６】
このように、チョッパ回路３３が動作停止状態になった後も、整流および平滑された商用電源の電圧が高周波電源回路１４に供給されることになるが、高周波電源回路１４は動作停止状態にあるので、過大電圧または過大電流からチョッパ回路３３および高周波電源回路１４の各素子が破壊されることなく確実に保護されることになる。
【００７７】
以上、第４実施形態によれば、負荷として無電極放電灯が接続される各回路を確実に保護することができるとともに、ノイズの影響による誤動作の防止が可能になる。
【００７８】
図５は本発明に係る第５実施形態の無電極放電灯点灯装置の回路図で、以下この図を用いて第５実施形態について説明する。
【００７９】
本無電極放電灯点灯装置は、無電極放電灯Ｌａ、誘導コイルＬｃ、フィルタ回路１１、整流回路１２、チョッパ回路１３、高周波電源回路１４、ドライブ回路１５、マッチング回路１６、ドライブ電源回路１７および高周波部検出回路１８を第１実施形態と同様に備えている他、第１実施形態の高周波電源停止回路１９とは回路構成が異なる高周波電源停止回路５９を備えている。
【００８０】
この高周波電源停止回路５９は、抵抗Ｒ１９、トランジスタＱ１９およびダイオードＤ１９に加えて、第２実施形態と同様のダイオードＤ２９をさらに備え、コンパレータＣＭＰ１８の出力がＨレベルになれば、高周波電源回路１４およびドライブ回路１５の双方の動作を停止させるものである。
【００８１】
次に、第５実施形態の動作について説明する。ただし、チョッパ回路１３の出力電圧が正常である場合の動作については第１実施形態と同様であるので、チョッパ回路１３の出力電圧Ｖｏが異常に昇圧したときの動作について説明する。
【００８２】
チョッパ回路１３の出力電圧Ｖｏが異常に昇圧すると、異常電圧検出・駆動停止回路１３４が作動してチョッパ回路１３の動作が停止し、チョッパ回路１３の出力電圧Ｖｏは、異常に昇圧した電圧から、整流および平滑された商用電源の電圧まで下降する。これにより、高周波電源回路１４の出力電圧が無電極放電灯Ｌａの点灯維持電圧よりも低くなり、無電極放電灯Ｌａはグロー放電状態となる。
【００８３】
無電極放電灯Ｌａがグロー放電状態となると、高周波部検出回路１８の抵抗Ｒ１８１の両端電圧が高くなるので、コンパレータＣＭＰ１８の正入力端の電位が負入力端の電位よりも高くなる。これにより、コンパレータＣＭＰ１８は、出力がＨレベルとなり、このＨレベルの電圧が抵抗Ｒ１８４およびダイオードＤ１８を介して正入力端に印加するので、Ｈレベルの出力状態を維持する。
【００８４】
コンパレータＣＭＰ１８の出力がＨレベルになると、このＨレベルの電圧が抵抗Ｒ１９を介してトランジスタＱ１９のべ−スに印加するので、トランジスタＱ１９はオン状態になる。これにより、高周波電源回路１４におけるＦＥＴＱ１４２およびドライブ回路１５におけるＦＥＴＱ１５の双方のゲート・ソース間が短絡され、高周波電源回路１４およびドライブ回路１５の双方の動作が停止して無電極放電灯Ｌａは消灯状態になる。
【００８５】
このように、チョッパ回路１３が動作停止状態になった後も、整流および平滑された商用電源の電圧が高周波電源回路１４に供給されることになるが、高周波電源回路１４およびドライブ回路１５が動作停止状態になるので、過大電圧または過大電流からチョッパ回路１３および高周波電源回路１４の各素子が破壊されることなく確実に保護されることになる。
【００８６】
以上、第５実施形態によれば、負荷として無電極放電灯が接続される各回路を確実に保護することができるとともに、ノイズの影響による誤動作の防止が可能になる。
【００８７】
なお、第５実施形態では、チョッパ回路１３の出力電圧の異常昇圧は、高周波部検出回路１８よりも先に異常電圧検出・駆動停止回路１３４によって検出される構成になっているが、異常電圧検出・駆動停止回路１３４よりも先に高周波部検出回路１８によって検出される構成でもよい。この場合、チョッパ回路１３の出力電圧が異常に昇圧したとき、高周波電源回路１４およびドライブ回路１５の動作が停止した後にチョッパ回路１３の動作が停止し、上記同様、過大電圧または過大電流からチョッパ回路１３および高周波電源回路１４が保護される。
【００８８】
図６は本発明に係る第６実施形態の無電極放電灯点灯装置の回路図で、以下この図を用いて第６実施形態について説明する。
【００８９】
本無電極放電灯点灯装置は、無電極放電灯Ｌａ、誘導コイルＬｃ、フィルタ回路１１、整流回路１２、チョッパ回路３３、高周波電源回路１４、ドライブ回路１５、マッチング回路１６およびドライブ電源回路１７を第３実施形態と同様に備えている他、第５実施形態の高周波電源停止回路５９に加えて、それら実施形態とは異なる高周波部検出回路６８を備えている。
【００９０】
この高周波部検出回路６８は、コンデンサＣ１８、抵抗Ｒ１８３，Ｒ１８４、ダイオードＤ１８およびコンパレータＣＭＰ１８を備えている他、第１実施形態と同じ回路配置の抵抗Ｒ３８２に加えて、チョッパ回路３３の低電位出力端とドライブ回路１５の低電位入力端との間に介在する抵抗Ｒ６８１を備えている。そして、高周波部検出回路６８は、異常電圧検出・駆動停止回路３３４よりも先にチョッパ回路３３の出力電圧の異常昇圧を検出するように設定されている。
【００９１】
次に、第６実施形態の動作について説明する。ただし、チョッパ回路３３の出力電圧が正常である場合の動作については第１実施形態と同様であるので、チョッパ回路３３の出力電圧Ｖｏが異常に昇圧したときの動作について概説する。
【００９２】
チョッパ回路３３の出力電圧Ｖｏが異常に昇圧すると、高周波部検出回路６８の抵抗Ｒ６８１の両端電圧が高くなるので、コンパレータＣＭＰ１８の正入力端の電位が負入力端の電位よりも高くなる。これにより、コンパレータＣＭＰ１８の出力がＨレベルの状態になる。
【００９３】
コンパレータＣＭＰ１８の出力がＨレベルになると、トランジスタＱ１９がオン状態になる。これにより、高周波電源回路１４およびドライブ回路１５の双方の動作が停止して、無電極放電灯Ｌａが消灯状態になる。
【００９４】
この後、さらに昇圧したチョッパ回路３３の出力電圧によって異常電圧検出・駆動停止回路３３４におけるコンパレータＣＭＰ１３の出力がＨレベルの状態になり、このＨレベルの電圧が制御ＩＣ１３の＃５ピンおよびトランジスタＱ３３のベースに印加する。これにより、チョッパ回路３３およびドライブ電源回路１７の動作が停止する。
【００９５】
この後、チョッパ回路３３およびドライブ電源回路１７の各出力電圧が低下する。
【００９６】
以上、第６実施形態によれば、負荷として無電極放電灯が接続される各回路を確実に保護することができるとともに、ノイズの影響による誤動作の防止が可能になる。
【００９７】
なお、上記第１〜第６実施形態では、チョッパ回路の出力電圧が異常に昇圧したとき、高周波電源回路の動作を停止させる構成になっているが、例えば間欠発振や周波数の変更により高周波電源回路の動作を間欠させる構成でもよい。あるいは各回路の動作停止順序に優先順位を設けてもよい。ようは、チョッパ回路の出力電圧が異常に昇圧したとき、回路が保護できるような手段であればよい。
【００９８】
また、上記異常電圧検出・駆動停止回路、高周波部検出回路および高周波電源停止回路は、昇圧チョッパ回路に限らず、無負荷時や回路素子の異常などにより出力電圧が昇圧する回路構成にも適用可能である。
【００９９】
また、上記第１〜第６実施形態では、チョッパ回路の出力電圧が異常に昇圧したか否かは、チョッパ回路の出力電圧の検出結果に応じて判定される構成になっているが、例えばチョッパ回路を流れる電流の検出結果に応じて判定される構成でもよく、無電極放電灯に近接して配置される検出コイルを設け、この検出コイルに流れる電流に応じて判定される構成でもよく、あるいはマッチング回路の電圧電流位相差に応じて判定される構成でもよい。
【０１００】
さらに、上記第１〜第６実施形態では、高周波電源回路はＤ級増幅回路になっているが、Ｃ級増幅回路やＥ級増幅回路でもよい。
【０１０１】
【発明の効果】
以上のことから明らかなように、請求項１〜１２記載の発明によれば、負荷として無電極放電灯が接続される各回路を確実に保護することができるとともに、ノイズの影響による誤動作の防止が可能になる。
【図面の簡単な説明】
【図１】本発明に係る第１実施形態の無電極放電灯点灯装置の回路図である。
【図２】本発明に係る第２実施形態の無電極放電灯点灯装置の回路図である。
【図３】本発明に係る第３実施形態の無電極放電灯点灯装置の回路図である。
【図４】本発明に係る第４実施形態の無電極放電灯点灯装置の回路図である。
【図５】本発明に係る第５実施形態の無電極放電灯点灯装置の回路図である。
【図６】本発明に係る第６実施形態の無電極放電灯点灯装置の回路図である。
【図７】本出願人により別途出願されている無電極放電灯点灯装置の回路図である。
【符号の説明】
１１  フィルタ回路
１２  整流回路
１３，３３  チョッパ回路
１４  高周波電源回路
１５  ドライブ回路
１６  マッチング回路
１７  ドライブ電源回路
１８，３８，６８  高周波部検出回路
１９，２９，５９  高周波電源停止回路
１３４，３３４  異常電圧検出・駆動停止回路
Ｌａ  無電極放電灯
Ｌｃ  誘導コイル
【図１】
0003758374.tif 000002
【図２】
0003758374.tif 000003
【図３】
0003758374.tif 000004
【図４】
0003758374.tif 000005
【図５】
0003758374.tif 000006
【図６】
0003758374.tif 000007
【図７】
0003758374.tif 000008